(57)【要約】【課題】本発明は、使用後の薬品容器を密閉した状態で薬品の使用量を確認することができる薬品の使用量管理装置及び薬品の使用量管理装置を用いた薬品の使用量管理方法を提供することを目的とするものである。【解決手段】回転軸２１が略水平とされた第１の容器回転ローラー２３と、回転軸２１Ａが、第１の容器回転ローラー２３の回転軸２１と略平行とされ、第１の容器回転ローラー２３と同一方向に回転可能とされると共に、第１の容器回転ローラー２３に対して離れる方向に移動可能な構成とされた第２の容器回転ローラー２４と、第１の容器回転ローラー２３と第２の容器回転ローラー２４との間に投入された容器内に収納された薬品容器に附された所定の情報を認識する撮像装置１９と、第１の容器回転ローラー２３と第２の容器回転ローラー２４との間の下方に配置され、投入された容器の重量を計測する計量装置６とを備える。【選択図】図１
2015012906.tif 000002
【特許請求の範囲】
【請求項１】
回転軸が略水平とされた第１の容器回転ローラーと、
回転軸が、前記第１の容器回転ローラーの回転軸と略平行とされ、同第１の容器回転ローラーと同一方向に回転可能とされると共に、同第１の容器回転ローラーに対して離れる方向に移動可能な構成とされた第２の容器回転ローラーと、
前記第１の容器回転ローラーと前記第２の容器回転ローラーとの間に投入された容器内に収納された薬品容器に附された所定の情報を認識する撮像装置と、
前記第１の容器回転ローラーと前記第２の容器回転ローラーとの間の下方に配置され、前記投入された容器の重量を計測する計量装置とを備える
薬品の使用量管理装置。
【請求項２】
前記第１の容器回転ローラーと前記第２の容器回転ローラーが略同じ外径である
請求項１に記載の薬品の使用量管理装置。
【請求項３】
前記第１の容器回転ローラー及び前記第２の容器回転ローラーと前記計量装置との間に、昇降自在とされた容器受け部を備える
請求項１または請求項２に記載の薬品の使用量管理装置。
【請求項４】
前記容器受け部は、前記第１の容器回転ローラーに対して前記第２の容器回転ローラーが離れる方向に移動したときに、同第１の容器回転ローラーと同第２の容器回転ローラーとの間の下部に位置する
請求項３に記載の薬品の使用量管理装置。
【請求項５】
前記計量装置で計量された容器を排出する排出手段を備える
請求項１、請求項２、請求項３または請求項４に記載の薬品の使用量管理装置。
【請求項６】
前記容器は、透明状とされた
請求項１、請求項２、請求項３、請求項４または請求項５に記載の薬品の使用量管理装置。
【請求項７】
薬品を含めた薬品容器と該薬品容器が収納される容器との総重量をサーバーに記録する工程と、
必要量の薬品を抜き取った後の薬品容器を透明状の容器に密閉する工程と、
前記容器を、双方の回転軸が略水平状とされ、かつ同一方向に回転可能とされる第１の容器回転ローラーと第２の容器回転ローラーとの間に投入する工程と、
前記容器を前記第１の容器回転ローラーと前記第２の容器回転ローラーによって回転させながら同容器内に収納された薬品容器に附された所定の情報を撮像装置で認識する工程と、
前記第１の容器回転ローラーに対して前記第２の容器回転ローラーを離れる方向に移動させることによって、前記容器を同第１の容器回転ローラーと同第２の容器回転ローラーとの間の下方に配置された計量装置に落下させて重量を計測する工程と、
前記サーバーに記録された前記総重量から前記計量装置で計測された容器の重量を差引演算する工程とを備える
薬品の使用量管理方法。
【発明の詳細な説明】
【技術分野】
【０００１】
本発明は、薬品の使用量管理装置及び薬品の使用量管理方法に関する。詳しくは、例えば、アンプルやバイアル等の薬品の使用量を認識する薬品の使用量管理装置及び薬品の使用量管理方法に係るものである。
【背景技術】
【０００２】
例えば、抗がん剤の投薬を行う場合には、薬剤師が点滴用輸液に抗がん剤を混合して点滴が行われる。
【０００３】
このようにして投与する抗がん剤は、患者の身長体重に応じた体表面積で投薬量が決められるために、アンプルやバイアル等の薬品容器から計算された必要量を注射器で抜き取らなければならない。
そして、必要量が誤っていた場合には、患者の容体に大きな影響があるため、２人の薬剤師が注射薬の抜き取り量を確認しながら行なっているのが現状である。
【０００４】
しかし、アンプルやバイアル等の薬品容器に残留する抗がん剤が、気化し、薬剤師が吸い込むと人体に悪影響を及ぼすことがある。
【０００５】
そのため、注射薬が残留した状態の使用後のアンプルやバイアル等の薬品容器を廃棄する場合には、ビニール袋等で密封するなど慎重な取扱いが要求されている。
【０００６】
ここで、薬剤管理装置として、例えば特許文献１に記載されたものがある。具体的には、図１２に示すように、筺体１０１の前面部に、複数個の薬剤ケース１０２が複数段かつ複数列に配置されている。
【０００７】
また、筺体１０１の内部に各薬剤ケース１０２の重量を計測する計測部１０３が配置されており、この計測部１０３は、各薬剤ケース１０２を載せて重量を計測する電子秤１０４が設けられている。
【０００８】
更に、電子秤１０４を各薬剤ケース１０２の背面に移動させる昇降・横行機構と、各薬剤ケース１０２を収納位置と電子秤１０４上の計量位置との間で前後移動させる移送機構が設けられている。
【先行技術文献】
【特許文献】
【０００９】
【特許文献１】特開２０１２−１７６２２３号公報
【発明の概要】
【発明が解決しようとする課題】
【００１０】
しかしながら、前記特許文献１に記載された発明では、各薬剤ケースから払い出された薬剤の払い出し数を把握することは可能であるが、抗がん剤のように、薬品容器から抜き取られた薬剤の使用量を把握することはできない。
【００１１】
本発明は、以上の点に鑑みて創案されたものであって、使用後の薬品容器を密閉した状態で薬品の使用量を確認することができる薬品の使用量管理装置及び薬品の使用量管理装置を用いた薬品の使用量管理方法を提供することを目的とするものである。
【課題を解決するための手段】
【００１２】
上記の目的を達成するために、本発明に係る薬品の使用量管理装置は、回転軸が略水平とされた第１の容器回転ローラーと、回転軸が、前記第１の容器回転ローラーの回転軸と略平行とされ、同第１の容器回転ローラーと同一方向に回転可能とされると共に、同第１の容器回転ローラーに対して離れる方向に移動可能な構成とされた第２の容器回転ローラーと、前記第１の容器回転ローラーと前記第２の容器回転ローラーとの間に投入された容器内に収納された薬品容器に附された所定の情報を認識する撮像装置と、前記第１の容器回転ローラーと前記第２の容器回転ローラーとの間の下方に配置され、前記投入された容器の重量を計測する計量装置とを備える。
【００１３】
ここで、回転軸が略水平とされた第１の容器回転ローラーと、回転軸が、第１の容器回転ローラーの回転軸と略平行とされた第２の容器回転ローラーによって、容器を第１の容器回転ローラーと第２の容器回転ローラーとの間で保持することが可能となる。
【００１４】
また、第１の容器回転ローラーと同一方向に第２の容器回転ローラーが回転することによって、容器を同一方向へ回転させることが可能となる。
【００１５】
また、第１の容器回転ローラーに対して離れる方向に移動可能な構成とされた第２の容器回転ローラーによって、第１の容器回転ローラーと第２の容器回転ローラーで保持された容器を第１の容器回転ローラーと第２の容器回転ローラーとの間から落下させることが可能となる。
【００１６】
また、容器内に収納された薬品容器に附された所定の情報を認識する撮像装置によって、第１の容器回転ローラーと第２の容器回転ローラーとに挟まれた状態で同一方向へ回転する容器内に収納された薬品容器に附された所定の情報を認識することが可能となる。
例えば、容器内に収納された薬品容器に附された薬品の種類、ロット番号、使用期限及び使用日時を認識することが可能となる。
【００１７】
また、第１の容器回転ローラーと第２の容器回転ローラーとの間の下方に配置され、投入された容器の重量を計測する計量装置によって、容器と容器内に収納された薬品容器との総重量を計測することが可能となる。
【００１８】
また、本発明に係る薬品の使用量管理装置において、第１の容器回転ローラーと第２の容器回転ローラーが略同じ外径である場合には、外径の異なるローラーよりも同一速度の回転にし易くなる。
例えば、第１の容器回転ローラーと第２の容器回転ローラーとを回転部材を介して連動可能な状態とし、第１の容器回転ローラーと第２の容器回転ローラーを同一速度で駆動回転させることで同一方向、かつ同一速度の回転とすることが可能となる。これにより、容器を同一速度で回転させ、回転する力も増大することが可能となる。
【００１９】
また、本発明に係る薬品の使用量管理装置において、第１の容器回転ローラー及び第２の容器回転ローラーと計量装置との間に、昇降自在とされた容器受け部を備える場合には、容器を第１の容器回転ローラー及び第２の容器回転ローラーから計量装置まで確実に移動することが可能となる。
【００２０】
また、本発明に係る薬品の使用量管理装置において、容器受け部が、第１の容器回転ローラーに対して第２の容器回転ローラーが離れる方向に移動したときに、第１の容器回転ローラーと第２の容器回転ローラーとの間の下部に位置する場合には、第１の容器回転ローラー及び第２の容器回転ローラーとの間から落下する容器を確実に保持することが可能となる。
【００２１】
また、本発明に係る薬品の使用量管理装置において、計量装置で計量された容器を排出する排出手段を備える場合には、使用済みの薬品容器を密閉した状態で廃棄することが可能となる。
【００２２】
また、本発明に係る薬品の使用量管理装置において、容器が透明状とされた場合には、容器内の薬品容器に附された所定の情報を撮像装置で読み取ることが可能となる。
【００２３】
また、上記の目的を達成するために、本発明に係る薬品の使用量管理方法は、薬品を含めた薬品容器と該薬品容器が収納される容器との総重量をサーバーに記録する工程と、必要量の薬品を抜き取った後の薬品容器を透明状の容器に密閉する工程と、前記容器を、双方の回転軸が略水平状とされ、かつ同一方向に回転可能とされる第１の容器回転ローラーと第２の容器回転ローラーとの間に投入する工程と、前記容器を前記第１の容器回転ローラーと前記第２の容器回転ローラーによって回転させながら同容器内に収納された薬品容器に附された所定の情報を撮像装置で認識する工程と、前記第１の容器回転ローラーに対して前記第２の容器回転ローラーを離れる方向に移動させることによって、前記容器を同第１の容器回転ローラーと同第２の容器回転ローラーとの間の下方に配置された計量装置に落下させて重量を計測する工程と、前記サーバーに記録された前記総重量から前記計量装置で計測された容器の重量を差引演算する工程とを備える。
【００２４】
ここで、薬品を含めた薬品容器と薬品容器が収納される容器との総重量をサーバーに記録することによって、使用する前の薬品が入った薬品容器と、この薬品容器を密閉する容器との総重量を認識することができる。
例えば、注射薬が入ったアンプル、あるいはバイアルなどの薬品容器の場合では、使用前のアンプル、あるいはバイアルを容器に収納して計量装置で計測された総重量がサーバーに自動入力される。
また、例えば、粉を溶解液で溶かす注射薬の場合では、使用前の粉の入った薬品容器を容器に収納して計量装置で計測された総重量がサーバーに自動入力されると共に、粉を溶かす溶解液重量が加算される。
【００２５】
また、必要量の薬品を抜き取った後の薬品容器を透明状の容器に密閉することによって、薬品容器に薬品が残った場合でも外部に漏れることなく収納することが可能となる。
【００２６】
また、容器を、双方の回転軸が略水平状とされ、かつ同一方向に回転可能とされる第１の容器回転ローラーと第２の容器回転ローラーとの間に投入することによって、容器を第１の容器回転ローラーと第２の容器回転ローラーとの間で保持しながら同一方向へ回転させることが可能となる。
【００２７】
また、容器を第１の容器回転ローラーと第２の容器回転ローラーによって回転させながら同容器内に収納された薬品容器に附された所定の情報を撮像装置で認識することによって、容器内に収納された薬品容器に附された所定の情報を認識することが可能となる。
例えば、容器内に収納された薬品容器に附された薬品の種類、ロット番号、使用期限及び使用日時を認識することが可能となる。
【００２８】
また、第１の容器回転ローラーに対して第２の容器回転ローラーを離れる方向に移動させることによって、容器を同第１の容器回転ローラーと第２の容器回転ローラーとの間の下方に配置された計量装置に落下させて重量を計測することで、容器と容器内に収納された薬品容器との総重量を計測することが可能となる。
【００２９】
また、サーバーに記録された総重量から計量装置で計測された容器の重量を差引演算することによって、実際に使用した薬品の使用量を確実に把握することが可能となる。
【発明の効果】
【００３０】
本発明の薬品の使用量管理装置によれば、使用後の薬品容器を容器内に密閉した状態で薬品の使用量を確認することができる。
本発明の薬品の使用量管理方法によれば、使用後の薬品容器を容器内に密閉し、総重量を計測することで薬品の使用量を確認することができる。
【図面の簡単な説明】
【００３１】
【図１】本発明を適用した薬品の使用量管理装置の内部機構の一例を説明するための模式図である。
【図２】本発明を適用した薬品の使用量管理装置の投入部の開閉機構の一例を説明するための平面模式図である。
【図３】本発明を適用した薬品の使用量管理装置の投入部の開閉機構の一例を説明するための側面模式図である。
【図４】本発明を適用した薬品の使用量管理装置における容器回転保持部の一例を説明するための平面模式図である。
【図５】本発明を適用した薬品の使用量管理装置における容器回転保持部の一例を説明するための側面模式図である。
【図６】本発明を適用した薬品の使用量管理装置における昇降部の一例を説明するための側面模式図である。
【図７】本発明を適用した薬品の使用量管理装置における容器受け部の一例を説明するための平面模式図（Ａ）及び本発明を適用した薬品の使用量管理装置における容器受け部の受け板の一例を説明するための模式図（Ｂ）である。
【図８】本発明を適用した薬品の使用量管理装置における計量装置の一例を説明するための側面模式図（Ａ）及び本発明を適用した薬品の使用量管理装置における計量装置の一例を説明するための正面模式図（Ｂ）である。
【図９】本発明を適用した薬品の使用量管理装置における容器投入時の作用状態を説明するための模式図である。
【図１０】本発明を適用した薬品の使用量管理装置における計量時の作用状態を説明するための模式図である。
【図１１】本発明を適用した薬品の使用量管理方法の一例を説明するためのフローチャート図である。
【図１２】従来の薬品の使用量管理装置の一例を説明するための模式図である。
【発明を実施するための形態】
【００３２】
以下、本発明の実施の形態を図面を参酌しながら詳述する。
【００３３】
＜第１の実施の形態＞
図１は本発明を適用した薬品の使用量管理装置の内部機構の一例を説明するための模式図、図２は本発明を適用した薬品の使用量管理装置の投入部の開閉機構の一例を説明するための平面模式図、図３は発明を適用した薬品の使用量管理装置の投入部の開閉機構の一例を説明するための側面模式図である。
【００３４】
ここで示す使用量管理装置１は、筺体２の上端３の略中央に設けられた容器投入部４と、この容器投入部４の下方に配置された容器回転保持部５と、この容器回転保持部５の下方に配置された計量装置６とから構成されている。
【００３５】
更に、容器回転保持部５と計量装置６の間に配置された昇降自在とされる容器受け部７と、計量後の容器を排出シュート９へ押し出すための押し出し部８とから構成されている。
【００３６】
また、容器回転保持部５の斜め上方位置には、所定の光学系とＣＣＤ等の撮像素子を用いて構成される撮像装置１９が容器回転保持部５の長手方向に沿って配置されている。
【００３７】
ここで、図２及び図３に示すように、容器投入部４は、筺体２の天端３に所定間隔を設けて支持レール部（１３、１３Ａ）が配置されている。更に、支持レール部（１３、１３Ａ）の下部に、所定間隔を設けて連動軸（１７、１７Ａ）が支持レール部（１３、１３Ａ）と直交するように軸支されている。
【００３８】
これにより支持レール部（１３、１３Ａ）と連動軸（１７、１７Ａ）との間に第１の開口部１０が形成される。
【００３９】
また、連動軸１７の両側端にプーリー（１５、１５）が取り付けられ、このプーリー（１５、１５）と対応するプーリー（１５Ａ、１５Ａ）が連動軸１７Ａに取り付けられると共に、連動軸１７Ａの一端が延出されて駆動モータ（図示せず。）で駆動回転可能な構成とされている。
【００４０】
更に、連動軸（１７、１７Ａ）の一方のプーリー（１５、１５Ａ）間に無端ベルト１６が巻回され、連動軸（１７、１７Ａ）の他方のプーリー（１５、１５Ａ）間に無端ベルト１６Ａが巻回された構成とされている。
【００４１】
ここで、第１の開口部１０に、支持レール部（１３、１３Ａ）の長手方向に沿って互いに向き合う方向にスライド可能とされたスライド板部（１１、１１Ａ）が設けられている。
【００４２】
このスライド板部（１１、１１Ａ）は、支持レール部（１３、１３Ａ）間と略同じ幅長さを有する平板部５３と、平板部５３から進行方向側に向けて所定角度で下向きに折り曲げ形成された折曲部５４を有して構成されている。
このような構成とすることで、スライド板部（１１、１１Ａ）の折曲部（５４、５４）の先端が接した場合には、断面Ｖ字形状の溝が形成される。
【００４３】
また、スライド板部１１の平板部５３の両側端に支持板（１２、１２）が支持レール部（１３、１３Ａ）の上端と直交するように同一平面状に取り付けられ、スライド板部１１Ａの平板部５３の両側端に支持板（１２Ａ、１２Ａ）が支持レール部（１３、１３Ａ）と直交するように同一平面状に取り付けられている。
【００４４】
更に、スライド板部１１の支持板（１２、１２）の先端側と、下側の無端ベルト（１６、１６Ａ）との間に連結体（１８、１８）が取り付けられている。また、スライド板部１１Ａの支持板（１２Ａ、１２Ａ）の先端側と、上側の無端ベルト（１６、１６Ａ）との間に連結体（１８Ａ、１８Ａ）が取り付けられている。
【００４５】
このような構成とすることで、例えば図３中Ａ矢印方向へ無端ベルト（１６、１６Ａ）を回転させた場合には、連結体１８と連結体１８Ａが互いに反対側に移動することでスライド板部（１１、１１Ａ）が開く方向にスライドする。
【００４６】
また、例えば図３中Ｂ矢印方向へ無端ベルト（１６、１６Ａ）を回転させた場合には、連結体１８と連結体１８Ａが互いに向き合う方向に移動することでスライド板部（１１、１１Ａ）が閉まる方向にスライドする。
【００４７】
また、容器回転保持部５は、図４及び図５に示すように、筺体（図示せず。）内に水平状に固定された支持フレーム２０上に配置されている。
【００４８】
この容器回転保持部５は、回転軸２１が軸受部（２２、２２）に挿通支持された第１の容器回転ローラー２３と、第１の容器回転ローラー２３と略同じ外径とされ、回転軸２１Ａが回転軸２１に平行状に軸受部（２２Ａ、２２Ａ）に挿通支持された第２の容器回転ローラー２４とから構成されている。
【００４９】
更に、第１の容器回転ローラー２３及び第２の容器回転ローラー２４の下方となる支持フレーム２０には第２の開口部３０が形成されている。
【００５０】
更に、第１の容器回転ローラー２３の回転軸２１の一端側にプーリー２５が装着され、このプーリー２５と駆動モータ２６の駆動軸（図示せず。）に装着されたプーリー２５Ａが連動ベルト２７によって連結されている（図４参照）。
【００５１】
また、第１の容器回転ローラー２３の回転軸２１と第２の容器回転ローラー２４の回転軸２１Ａの他端側にはローラー（２８、２８Ａ）が取り付けられている（図４参照）。
【００５２】
このようにして配置されたローラー（２８、２８Ａ）の下部外周面に接するように連動ローラー２９が配置され、この連動ローラー２９によって第１の容器回転ローラー（図示せず。）と第２の容器回転ローラー（図示せず。）が同一方向に回転可能な構成とされている（図５参照）。
【００５３】
また、第１の容器回転ローラー２３の軸受部（２２、２２）は支持フレーム２０上に固定され、第２の容器回転ローラー２４の軸受部（２２Ａ、２２Ａ）は、支持フレーム２０上に設けられたガイドレール３１上に移動可能に取り付けられた可動フレーム３２に取り付けられている。更に、第２の容器回転ローラー２４は可動フレーム３２によって、第１の容器回転ローラー２３の回転軸２１に対して離れる方向へ移動可能な構成とされている（図４参照）。
【００５４】
また、可動フレーム３２に可動棒部３３の一端３４が連結枢支されると共に、他端３５は駆動モータ２６Ａの駆動軸３６に取り付けられた円板部３７の外周に連結枢支された構成とされている（図５参照）。
【００５５】
また、第１の容器回転ローラー２３と第２の容器回転ローラー２４の軸心に沿って上方の位置に、上端から下端に向けてその内部断面積が順次小とされ、かつ下端に容器が通過可能な開口幅を有するホッパー部３８が配置されている（図５参照）。
【００５６】
このように、円板部３７の外周に連結枢支された可動棒部３３が円板部３７の回転によって第２の容器回転ローラー２４に対して直角方向へ往復運動する。この往復運動で可動フレーム３２が可動することで第１の容器回転ローラー２３に対して第２の容器回転ローラー２４が離れたり近づいたりする方向への往復動を繰り返す構成とされている（図４参照）。
【００５７】
次に、図６は本発明を適用した薬品の使用量管理装置の昇降部の一例を説明するための側面模式図、図７（Ａ）は本発明を適用した薬品の使用量管理装置の昇降部の一例を説明するための平面模式図、図７（Ｂ）は本発明を適用した薬品の使用量管理装置の容器受け部の受け板の形状を説明するための模式図である。
【００５８】
ここで、昇降部４０は、計量装置（図示せず。）が載置される支持板３９上面に基板４１が取り付けられ、この基板４１と相対する支持フレーム２０の下面に上板４２が取り付けられている。
【００５９】
更に、基板４１及び上板４２の略中央には、ネジ棒軸受部（４３、４３Ａ）が配置され、このネジ棒軸受部（４３、４３Ａ）間に、ネジ山（図示せず。）が周設されたネジ棒部４４が取り付けられた構成とされている。
【００６０】
また、ネジ棒部４４に雌ネジ部４５が螺着され、この雌ネジ部４５に受け部連結体４６が取り付けられた構成とされている。更に、基板４１と上板４２間にガイド部材４７が立設され、このガイド部材４７が受け部連結体４６に遊貫状に挿通されている。
【００６１】
このような構成とすることで、受け部連結体４６はガイド部材４７によって回転が制止され、ネジ棒部４４を駆動モータ（図示せず。）で左右方向に駆動回転させることで受け部連結体４６が昇降自在となる。
【００６２】
また、図７（Ａ）に示すように、容器受け部７は、受け部連結体４６に一定間隔ごとに水平状に配置された複数の受け板４８が取り付けられている。
【００６３】
この受け板４８は、図７（Ｂ）に示すように、上端の略中央に向けて互いに傾斜するような形状とすることで容器を受け板４８の中央部分で保持することができる構成とされている。
【００６４】
また、図８（Ａ）に示すように、容器受け部７の下方には、容器受圧部４９が配置されている。この容器受圧部４９は計量装置６上に取り付けられ、容器受圧部４９上に容器Ａが載せられることで計量装置６によって重量が計測される構成とされている。
【００６５】
ここで、容器受圧部４９は、図８（Ｂ）に示すように、一定間隔ごとに溝部５０が設けられている。この溝部５０は、受け板４８厚さ以上の開口幅を有すると共に、受け板４８高さ以上の深さを有するように形成されている。
【００６６】
また、容器受圧部４９は、その上面が断面Ｖ字形状となるように中央に向けて傾斜状に形成され、受け板４８が溝部（図示せず。）内に上方より挿入される構成とされている（図８（Ａ）参照）。
【００６７】
このような構成とすることで、容器受け部７上で保持された容器Ａは、容器受圧部４９の溝部５０内に容器受け部７の受け板４８が挿入され、容器Ａは溝部５０上で保持されることになる。これにより、容器Ａのみの重量が容器受圧部４９に加わり計量装置６によって重量が計測されることになる。
【００６８】
また、押し出し部８は、前記図１に示すように、支持フレーム２０の下方向に駆動軸３６Ａが突設されている。
【００６９】
更に、駆動軸３６Ａに水平状に回動可能とされたアーム５１の基端が取り付けられ、先端には方形状の押圧板５２が取り付けられている。これにより、アーム５１を回動させることで容器受圧部４９上の容器（図示せず。）を押圧板５２で排出シュート９へ押し出すことが可能となる。
【００７０】
なお、容器は、透明状のプラスッチ等の合成樹脂材で形成され、蓋部（図示せず。）によって開閉自在な構成とされている。
【００７１】
本発明の薬品の使用量管理装置では、事前に患者の処方箋に基づいて使用する薬品が入った薬品容器と、薬品容器を収納する容器との総重量を計量装置で計測してコンピューター等のサーバーに入力記録しておく。
【００７２】
例えば、６．２５ｍＬの薬液の投与をする場合には、予め、３本のバイアル（７．５ｍＬ）と３本の容器とを電子秤等の計量装置で総重量を計測してコンピューター等のサーバーに入力記録する。
【００７３】
また、粉状の注射薬では、粉状の薬品と溶解液とがセットになった場合と、必要量の溶解液を別途用意する場合とがある。
このような場合には、予め溶解液の重量値をコンピューター等のサーバーに入力記録しておき、粉状の薬品が入った薬品容器のみの重量値を加算してコンピューター等のサーバーに入力記録する。
なお、粉状の薬品と溶解液とがセットになった場合には、粉状の薬品が入った薬品容器の重量値と溶解液の入った容器の重量値を加算してコンピューター等のサーバーに入力記録することもできる。
【００７４】
ここで、図９に示すように、薬品容器Ｂから必要量の薬液が抜き取られた薬品容器Ｂを容器Ａ内に密閉する。
具体的には、２本のバイアルから薬液が抜き取られ、３本目のバイアルから１．２５ｍＬの薬液が抜き取られることになる。そこで、空のバイアルと薬液が残存したバイアルを１本づつ容器Ａ内に密閉する。
【００７５】
次に、スライド板部（１１、１１Ａ）を互いに離れる方向にスライドさせて容器Ａを第１の開口部１０内に落下させる。
【００７６】
これにより、容器Ａは、第１の開口部１０内に落下して第１の容器回転ローラー２３と第２の容器回転ローラー２４との間で保持された状態となる。
【００７７】
ここで、駆動モータ（図示せず。）を駆動させることで第１の容器回転ローラー２３を駆動回転させる。このようにして、第１の容器回転ローラー２３が回転することで連動ローラー（図示せず。）が回転し、この連動ローラー（図示せず。）と接する第２の容器回転ローラー２４が回転する。この結果、第１の容器回転ローラー２３と第２の容器回転ローラー２４が同一方向へ回転して容器Ａを回転させる。
【００７８】
更に、容器Ａが回転することで容器Ａ内に密封された薬品容器Ｂも回転する。これにより、薬品容器Ｂに貼付されたラベル（図示せず。）に記載された所定の情報（薬品情報）が撮像装置１９で透明状の容器Ａを通して撮影され、パーソナルコンピューター等（図示せず。）に入力される。
【００７９】
また、撮像装置１９で読み取られた所定の情報（薬品情報）は、事前にパーソナルコンピューター等のサーバーに入力記録されている各種の薬品のバーコード情報と照合されることで、例えば、注射薬の特定、注射薬の本数及び使用日時の特定が可能となる。
【００８０】
このようにして容器Ａが回転している間に、昇降部４０のネジ棒部４４を駆動モータ２６Ｂによって回転させて、容器受け部７を第１の容器回転ローラー２３と第２の容器回転ローラー２４の下部まで上昇させる。
【００８１】
次に、図１０に示すように、駆動モータ２６Ａを駆動させて円板部３７を回転させることで可動棒部３３が軸線方向へ移動させる。これにより、第１の容器回転ローラー２３に対して第２の容器回転ローラー２４を離れる方向へ移動することになる。この結果、容器Ａは、第２の開口部３０内に落下して容器受け部７上で保持されると同時に、昇降部４０のネジ棒部４４を駆動モータ２６Ｂで回転させて容器受け部７を下降させる。
【００８２】
更に、容器受け部７を計量装置６上の容器受圧部４９の溝部（図示せず。）内に容器受け部７の受け板４８が挿入されるまで下降させる。これにより、容器Ａは容器受圧部４９上で保持され、容器Ａ及び容器Ａ内に密閉された薬品容器Ｂの総重量が容器受圧部４９に加わり計量装置６によって重量が計測されることになる。
これにより、容器Ａ（３本）と薬品容器Ｂ（３本のバイアル容器）と残存する薬液との合計重量が計測される。
【００８３】
このようにして計量装置６で計測された重量データがパーソナルコンピューター等のサーバー（図示せず。）に入力される。更に、事前にパーソナルコンピューター等のサーバー入力された使用する薬品が入った薬品容器と、薬品容器を収納する容器との総重量から使用後の薬品容器Ｂが密閉された容器Ａの重量を差引き演算することで実際の薬品の使用量を算出することが可能となる。
具体的には、（容器Ａ＋容器Ｂ（薬液が充填された状態））−（容器Ａ＋容器Ｂ（残った薬液も含む）＝実際の使用量（６．２５ｍＬ）の重量が算出される。
この薬液に、薬品の種類に応じた比率及び比重を掛け合わせることで投与された薬剤の使用量を算出することが可能となる。
【００８４】
そして、容器受圧部４９上に保持された容器Ａは、計測後に押し出し部８の押圧板５２によって排出シュート９へ押し出されて回収箱（図示せず。）に廃棄される。
【００８５】
なお、抗がん剤のような細胞毒性を有する薬品を外気に晒さずに注射用器具に接続することができる閉鎖式接続器具を薬品容器に装着する場合には、事前に薬品容器と容器の総重量に閉鎖式接続器具の重量を加算し、使用後に閉鎖式接続器具が装着された状態で容器に密閉する。
【００８６】
なお、本実施の形態では、容器に対して１本の薬品容器Ｂを密閉する場合について詳述するものであるが、必ずしも容器に対して１本の薬品容器を密閉する必要性はない。
例えば、撮像装置で複数本の薬品容器に添付されたラベルの情報を読み取れるものであれば複数本の薬品容器を密閉することも可能である。
【００８７】
なお、本実施の形態では、第１の容器回転ローラーと第２の容器回転ローラーが同じ外径とするものであるが、第１の容器回転ローラーと同一方向に回転可能とされ、更に、回転軸が略水平とされ、かつ回転軸が第１の容器回転ローラーと略平行とされるものであれば、必ずしも第１の容器回転ローラーと第２の容器回転ローラーが同じ外径とする必要性はない。
【００８８】
また、本実施の形態では、第１の容器回転ローラー及び第２の容器回転ローラーと計量装置との間に、昇降自在とされた容器受け部を設けるものであるが、容器を計量装置上に保持することができれば、必ずしも容器受け部を設ける必要性はない。
【００８９】
本実施の形態では、第１の容器回転ローラーに対して第２の容器回転ローラーが離れる方向に移動したときに、第１の容器回転ローラーと第２の容器回転ローラーとの間の下部に容器受け部が位置するような構成とするものであるが、必ずしもそのような構成とする必要性はない。
【００９０】
しかし、落下する容器を確実に保持することができるという点において、第１の容器回転ローラーと第２の容器回転ローラーとの間の下部に容器受け部が位置する構成とすることが望ましい。
【００９１】
また、本実施の形態では、計量装置で計量された容器を排出する排出手段を設けるものであるが、必ずしも排出手段を設ける必要性はない。
しかし、連続して容器の計量を行うという点において排出手段を設けることが望ましい。
【００９２】
また、本実施の形態において、容器が、透明状とされるものであるが、薬品容器に張られた所定の情報が撮像装置で読み取ることができるものであれば、必ずしも透明状とする必要性はない。
【００９３】
本発明の薬品の使用量管理装置では、薬品容器から必要量の注射薬液を抜き取った薬品容器を容器に密閉することで薬液の気化を防ぎ人体への影響を軽減させることができる。
【００９４】
また、容器を計量することで薬液の使用量を算出し、自動的に記録されることで薬剤師及び看護師の業務負担を大幅に軽減することができる。
【００９５】
＜第２の実施の形態＞
次に、本発明を適用した薬品の使用量管理方法の一例を以下に詳述する。
【００９６】
図１１は本発明を適用した薬品の使用量管理方法の工程の一例を説明するためのフロー図である。
【００９７】
まず、例えば、患者ごとの処方箋に基づいて使用する薬品を含めた薬品容器と、この薬品容器を密閉する容器との総重量を計測してパーソナルコンピューター等のサーバーに入力記録する（ステップＳ１参照）。
【００９８】
例えば、アンプルやバイアル等の注射薬の場合には、注射液を抜き取る前の薬品容器と薬品容器を密閉する容器とを電子秤等の計量装置で総重量を計測してコンピューター等のサーバーに入力記録する。
【００９９】
また、粉状の注射薬では、粉状の薬品と溶解液とがセットになった場合と、必要量の溶解液を別途用意する場合とがある。
このような場合には、予め溶解液の重量値をコンピューター等のサーバーに入力記録しておき、粉状の薬品が入った薬品容器のみの重量値を加算してコンピューター等のサーバーに入力記録する。
なお、粉状の薬品と溶解液とがセットになった場合には、粉状の薬品が入った薬品容器の重量値と溶解液の入った容器の重量値を加算してコンピューター等のサーバーに入力記録することもできる。
なお、閉鎖式接続器具を使用する場合には、薬品容器と容器の総重量に閉鎖式接続器具の重量を加算する。
【０１００】
次に、薬剤師等が処方箋に基づいて薬品容器から必要量の注射薬を抜き取り、抜き取った薬品容器を透明状の容器に密閉する（ステップＳ２参照）。
なお、閉鎖式接続器具を使用する場合には、薬品容器に閉鎖式接続器具を装着した状態で透明状の容器に密閉する。
【０１０１】
ここで、前記図９に示すように、薬品容器を密閉した容器Ａを、使用量管理装置１の容器投入部４から投入して第１の容器回転ローラー２３と第２の容器回転ローラー２４との間で保持する。
【０１０２】
続いて、第１の容器回転ローラー２３と第２の容器回転ローラー２４を同一方向へ回転させて容器Ａを回転させる。この容器Ａ内の薬品容器Ｂに貼付されたラベル（図示せず。）に記載された所定の情報（薬品情報）を撮像装置１９で読み取り、パーソナルコンピューター等（図示せず。）に入力する。更に、この所定の情報（薬品情報）と、事前にパーソナルコンピューター等のサーバーに入力記録されている各種の薬品の情報と照合することで、例えば、注射薬の特定、及び使用日時の特定が可能となる。（ステップＳ３参照）。
【０１０３】
更に、図１０に示すように、所定の情報（薬品情報）を読み取った後の容器Ａは、第１の容器回転ローラー２３に対して第２の容器回転ローラー２４が離れることで落下する。この落下した容器Ａを、容器受け部７上で保持して計量装置６で容器Ａの重量を計測する（ステップ４参照）。
【０１０４】
このようにして計測装置６で計量した容器Ａの重量値を、パーソナルコンピューター等のサーバーに自動的に入力する（ステップ５参照）。
【０１０５】
ここで、事前に計測された薬品容器Ｂと容器Ａとの総重量から計測装置６で計測した容器Ａの重量を差引演算する。この結果、薬品の使用量が算出することができる（ステップ６参照）。
【０１０６】
続いて、容器Ａは、押し出し部８の押圧板５２で排出シュート９へ押し出して回収箱（図示せず。）に廃棄する（ステップ７参照）。
【０１０７】
なお、本実施の形態では、注射薬について詳述するものであるが、液体状の薬品の他に粉末状の薬品を溶解液に溶かし込んで使用する場合もある。
【０１０８】
本発明の薬品の使用量管理方法では、薬品容器から必要量の注射薬液を抜き取った薬品容器を容器に密閉することで薬液の気化を防ぎ人体への影響を軽減させることができる。
【０１０９】
また、容器を計量することで薬液の使用量を算出し、自動的に記録されることによって薬剤師及び看護師の業務負担を大幅に軽減することができる。
【０１１０】
また、容器に薬品容器や注射器等を密閉することで薬液が漏れ出すことがなく、容器ごと廃棄することによって２次災害を未然に防ぐことが可能となる。
【０１１１】
また、薬品の使用量がデータとしてパーソナルコンピューター等に記録されることで精度の高い検証を行うことができる。
【符号の説明】
【０１１２】
１              使用量管理装置
２              筺体
３              天板
４              容器投入部
５              容器回転保持部
６              計量装置
７              容器受け部
８              押し出し部
９              排出シュート
１０            第１の開口部
１１、１１Ａ    スライド板部
１２、１２Ａ    支持板
１３、１３Ａ    支持レール部
１５、１５Ａ    プーリー
１６、１６Ａ    無端ベルト
１７、１７Ａ    連動軸
１８、１８Ａ    連結体
１９            撮像装置
２０            支持フレーム
２１、２１Ａ    回転軸
２２、２２Ａ    軸受部
２３            第１の容器回転ローラー
２４            第２の容器回転ローラー
２５、２５Ａ    プーリー
２６、２６Ａ、２６Ｂ    駆動モータ
２７            連動ベルト
２８、２８Ａ    ローラー
２９            連動ローラー
３０            第２の開口部
３１            ガイドレール
３２            可動フレーム
３３            可動棒部
３４            一端
３５            他端
３６、３６Ａ    駆動軸
３７            円板部
３８            ホッパー部
３９            支持板
４０            昇降部
４１            基板
４２            上板
４３、４３Ａ    ネジ棒軸受部
４４            ネジ棒部
４５            雌ネジ部
４６            受け部連結体
４７            ガイド部材
４８            受け板
４９            容器受圧部
５０            溝部
５１            アーム
５２            押圧板
５３            平板部
５４            折曲部
【図１】
2015012906.tif 000003
【図２】
2015012906.tif 000004
【図３】
2015012906.tif 000005
【図４】
2015012906.tif 000006
【図５】
2015012906.tif 000007
【図６】
2015012906.tif 000008
【図７】
2015012906.tif 000009
【図８】
2015012906.tif 000010
【図９】
2015012906.tif 000011
【図１０】
2015012906.tif 000012
【図１１】
2015012906.tif 000013
【図１２】
2015012906.tif 000014